(57)【要約】【課題】  ２つの回転体の間の圧力を容易に調整する。【解決手段】  ギア１０４は、回転力をギア１０６及びギア１０８に伝達する。ギア１０８が回転すると、揺動ギアアッセイ１２２は、弾性部材１２４の付勢に抗し、回転軸１１８を軸としてギア１１０がギア１１２に連結するように揺動する。ギア１１０がギア１１２に連結されると、加圧カム１２８が弾性部材１３４及び可動フレーム１４０を介して加圧ロール９４を押圧する。加圧カム１２８などの回転力は、ギア１０４とギア１０８との間でトルクリミッタ１１６が制限する。一方、モータ１００が停止すると、揺動ギアアッセイ１２２は、弾性部材１２４の付勢により回転軸１１８を軸として、ギア１１０をギア１１２から離す方向に揺動し、ギア１１０とギア１１２との連結が解除され、加圧カム１２８は、弾性部材１３４によって押圧され、加圧ロール９４から加熱ロール９２に対する加圧が解除される。【選択図】          図７
2005316061.tif 000002
【特許請求の範囲】
【請求項１】
２つの回転体の間に記録媒体を通すことにより記録媒体上の担持されたトナー像を記録媒体に定着させる定着装置において、前記２つの回転体の少なくとも一方を一方向に回転駆動させる駆動手段と、前記回転体の間の加圧力を調整する加圧力調整手段と、この加圧力調整手段の駆動を前記駆動手段の駆動と連動させる連動手段とを有することを特徴とする定着装置。
【請求項２】
前記加圧力調整手段は、前記回転体の間の加圧力の有無を調整することを特徴とする請求項１記載の定着装置。
【請求項３】
前記加圧力調整手段は、前記少なくとも一方の回転体の回転が停止した場合に、前記回転体の間の加圧力を解除することを特徴とする請求項１又は２記載の定着装置。
【請求項４】
前記加圧力調整手段は、前記少なくとも一方の回転体の回転に連動して変位するカムと、このカムの変位により前記回転体の間に加圧力を発生させる加圧力発生手段とを有することを特徴とする請求項１乃至３いずれか記載の定着装置。
【請求項５】
前記連動手段は、前記駆動手段のトルクを上限値以下に制限して伝達する伝達トルク制限手段と、この伝達トルク制限手段により伝達されるトルクに応じて前記駆動手段の駆動力を伝達する駆動力伝達手段とを有し、前記カムは、前記駆動力伝達手段、前記伝達トルク制限手段及び前記駆動手段を介して前記少なくとも一方の回転体に連結されてなることを特徴とする請求項４記載の定着装置。
【請求項６】
前記駆動力伝達手段は、前記伝達トルク制限手段により伝達されるトルクに応じて揺動する揺動ギアであることを特徴とする請求項５記載の定着装置。
【請求項７】
２つの回転体と、これらの２つの回転体の少なくとも一方を一方向に回転駆動させる駆動手段と、前記回転体の間の加圧力を調整する加圧力調整手段と、この加圧力調整手段の駆動を前記駆動手段の駆動と連動させる連動手段とを有することを特徴とする加圧装置。
【発明の詳細な説明】
【技術分野】
【０００１】
本発明は、記録媒体にトナー像を定着させる定着装置、及び加圧装置に関するものである。
【背景技術】
【０００２】
画像形成装置の定着装置として、加熱ロールと加圧ロールとにより、トナー像を担持した記録媒体に熱と圧力とを加えて、トナー像を記録媒体に定着させるものが知られている。この種の定着装置において、加熱ロールに加圧ロールを常に圧接させると、加圧ロールに永久歪又は劣化が生じることがある。加圧ロールに生じる永久歪又は劣化を防止するために、加熱ロールを駆動するモータを逆回転させて、加熱ロールに対する加圧ロールの加圧を解除することは公知である（特許文献１参照）。また、加熱ロールを回転させるモータの他に、加熱ロールから加圧ロールを離すためのモータをさらに設けることは公知である（特許文献２参照）。
【０００３】
【特許文献１】特開平２−２８２７７３号公報
【特許文献２】特開平５−５３４７３号公報
【発明の開示】
【発明が解決しようとする課題】
【０００４】
しかしながら、加熱ロールを駆動するモータを逆回転させたり、加熱ロールから加圧ロールを離すためのモータをさらに設けると、加熱ロールから加圧ロールを離すための構成又は制御が複雑になるという問題があった。
【０００５】
そこで、本発明は、２つの回転体の間の圧力を容易に調整することができる定着装置、及び加圧装置を提供することを目的とする。
【課題を解決するための手段】
【０００６】
上記目的を達成するため、本発明の第１の特徴とするところは、２つの回転体の間に記録媒体を通すことにより記録媒体上の担持されたトナー像を記録媒体に定着させる定着装置において、前記２つの回転体の少なくとも一方を一方向に回転駆動させる駆動手段と、前記回転体の間の加圧力を調整する加圧力調整手段と、この加圧力調整手段の駆動を前記駆動手段の駆動と連動させる連動手段とを有する定着装置にある。したがって、２つの回転体の間の加圧力を少なくとも一方の回転体の一方向回転と連動させて調整することができるので、２つの回転体の間の加圧力を調整するための構成又は制御を簡易にし、２つの回転体の間の加圧力を容易に調整することができる。
【０００７】
好適には、前記加圧力調整手段は、前記回転体の間の加圧力の有無を調整する。また、好適には、前記加圧力調整手段は、前記少なくとも一方の回転体の回転が停止した場合に、前記回転体の間の加圧力を解除する。
【０００８】
また、好適には、前記加圧力調整手段は、前記少なくとも一方の回転体の回転に連動して変位するカムと、このカムの変位により前記回転体の間に加圧力を発生させる加圧力発生手段とを有する。即ち、２つの回転体の間の加圧力を調整するための構成を簡易にすることができ、２つの回転体の間の加圧力を容易に調整することができる。
【０００９】
また、好適には、前記連動手段は、前記駆動手段のトルクを上限値以下に制限して伝達する伝達トルク制限手段と、この伝達トルク制限手段により伝達されるトルクに応じて前記駆動手段の駆動力を伝達する駆動力伝達手段とを有し、前記カムは、前記駆動力伝達手段、前記伝達トルク制限手段及び前記駆動手段を介して前記少なくとも一方の回転体に連結されてなる。また、好適には、前記駆動力伝達手段は、前記伝達トルク制限手段により伝達されるトルクに応じて揺動する揺動ギアである。したがって、即ち、加圧力調整手段のカムと少なくとも一方の回転体とを連結するための構成を簡易にすることができ、２つの回転体の間の加圧力を容易に調整することができる。
【００１０】
また、本発明の第２の特徴とするところは、２つの回転体と、これらの２つの回転体の少なくとも一方を一方向に回転駆動させる駆動手段と、前記回転体の間の加圧力を調整する加圧力調整手段と、この加圧力調整手段の駆動を前記駆動手段の駆動と連動させる連動手段とを有する加圧装置にある。
【発明の効果】
【００１１】
本発明によれば、２つの回転体の間の圧力を容易に調整することができる。
【発明を実施するための最良の形態】
【００１２】
次に本発明の実施形態を図面に基づいて説明する。
図１において、本発明の実施形態に係る画像形成装置１０の概要が示されている。
なお、本実施形態では、中間転写ベルトなどの中間転写体６４を用いたフルカラーの画像形成装置１０を具体例として説明するが、これに限定されるものではなく、例えば、中間転写体を用いずに、１つの感光体から記録媒体に画像を直接転写するものであってもよい。
【００１３】
画像形成装置１０は、画像形成装置本体１２を有し、この画像形成装置本体１２の上部には、回動支点１４を中心に回動自在の開閉カバー１６が設けられている。画像形成装置本体１２の下部には、例えば１段の記録媒体供給ユニット１８が配置されている。記録媒体供給ユニット１８は、記録媒体供給ユニット本体２０と、記録媒体が収納される記録媒体供給カセット２２とを有する。記録媒体供給カセット２２の奥端近傍上部には、記録媒体供給カセット２２から記録媒体を供給するフィードロール２４、及び、供給される記録媒体を１枚ずつ捌くリタードロール２６が配置されている。
【００１４】
搬送路２８は、フィードロール２４から排出口３０までの記録媒体通路であり、この搬送路２８は、画像形成装置本体１２の裏側（図１の右側面）近傍にあって、記録媒体供給ユニット１８から後述する定着装置９０まで略垂直に形成されている。この搬送路２８の定着装置９０の上流側に後述する二次転写ロール８０と二次転写バックアップロール７２とが配置され、二次転写ロール８０と二次転写バックアップロール７２の上流側にレジストロール３２が配置されている。また、搬送路２８の排出口３０の近傍には排出ロール３４が配置されている。
【００１５】
したがって、記録媒体供給ユニット１８の記録媒体供給カセット２２からフィードロール２４により送り出された記録媒体は、リタードロール２６により捌かれて最上部の記録媒体のみ搬送路２８に導かれ、レジストロール３２により一時停止され、タイミングをとって後述する二次転写ロール８０と二次転写バックアップロール７２との間を通ってトナー像が転写され、この転写されたトナー像が定着装置９０により定着され、排出ロール３４により排出口３０から開閉カバー１６の上部に設けられた排出部３６へ排出される。この排出部３６は、排出口部分が低く、正面方向（図１の左方向）に向けて徐々に高くなるよう傾斜している。
【００１６】
画像形成装置本体１２には、例えば略中央部にロータリ現像装置３８が配置されている。ロータリ現像装置３８は、現像器本体４０内にイエロー（Ｙｅｌｌｏｗ）、マゼンタ（Ｍａｇｅｎｔａ）、シアン（Ｃｙａｎ）及び黒（Ｂｌａｃｋ）の４色のトナー像をそれぞれ形成する現像器４２ａ〜４２ｄを有し、ロータリ現像装置中心４４を中心として左回り（図１において反時計回り）に回転する。現像器４２ａ〜４２ｄそれぞれは、現像ロール４６ａ〜４６ｄを有し、例えばコイルスプリングなどの弾性体４８ａ〜４８ｄにより、現像器本体４０の法線方向に押圧されている。
【００１７】
ロータリ現像装置３８には、例えば感光体からなる像担持体５０が当接するように配置されており、現像ロール４６ａ〜４６ｄは、像担持体５０に当接していない状態で、それぞれの外周の一部が現像器本体４０の外周から半径方向に、例えば２ｍｍ突出している。また、現像ロール４６ａ〜４６ｄそれぞれの両端には、現像ロール４６ａ〜４６ｄの直径よりもわずかに大きい直径のトラッキングロール（図示せず）が現像ロール４６ａ〜４６ｄと同軸で回転するように設けられている。つまり、現像ロール４６ａ〜４６ｄのトラッキングロールが像担持体５０の両端に設けられたフランジ（図示せず）に当接し、現像ロール４６ａ〜４６ｄと像担持体５０との間に所定の隙間が形成され、像担持体５０上の潜像がそれぞれの色のトナーで現像される。
【００１８】
像担持体５０の下方には、該像担持体５０を一様帯電する例えば帯電ロールからなる帯電装置５２が設けられている。また、像担持体５０には、該像担持体５０の回転方向の帯電装置５２よりも上流側に像担持体用クリーナ５４が当接している。像担持体用クリーナ５４は、例えば一次転写後に像担持体５０に残留するトナーを掻き取るクリーニングブレード５６と、クリーニングブレード５６が掻き取ったトナーを回収するトナー回収ボトル５８とから構成される。
なお、トナー回収ボトル５８の背面側（図１において右側）は、例えばリブなどが形成され、記録媒体が滑らかに搬送されるように曲面にされて搬送路２８の一部を形成している。
【００１９】
ロータリ現像装置３８の下方には、帯電装置５２により帯電された像担持体５０に、レーザ光などの光線により潜像を書き込む露光装置６０が配置されている。また、ロータリ現像装置３８の上方には、ロータリ現像装置３８によって可視化されたトナー像を一次転写位置で一次転写され、後述する二次転写位置まで搬送する中間転写装置６２が設けられている。
【００２０】
中間転写装置６２は、例えば中間転写ベルトなどの中間転写体６４、一次転写ロール６６、ラップインロール６８、ラップアウトロール７０、二次転写バックアップロール７２、スクレーパバックアップロール７４及びブラシバックアップロール７６から構成される。中間転写体６４は、該中間転写体６４の長辺下方で一次転写ロール６６の上流に配置されたラップインロール６８と、一次転写ロール６６の下流に配置されたラップアウトロール７０との間で像担持体５０にラップ状に当接する一次転写部（像担持体ラップ領域）を有し、像担持体５０に所定の範囲だけ巻きついて、像担持体５０の回転に従動する。このように、中間転写体６４は、一次転写ロール６６によって像担持体５０上のトナー像を例えばイエロー、マゼンタ、シアン、黒の順に重ねて一次転写され、この一次転写されたトナー像を後述する二次転写ロール８０に向けて搬送する。
【００２１】
さらに、中間転写体６４の裏側（図１の右側面）には、ラップアウトロール７０及び二次転写バックアップロール７２により、平面部（短辺）が形成されており、この平面部が二次転写部となって搬送路２８に臨むようにされている。
【００２２】
スクレーパバックアップロール７４は、二次転写後に中間転写体６４に残留するトナーを後述するスクレーパ８４が掻き取ることを補助し、ブラシバックアップロール７６は、二次転写後に中間転写体６４に残留するトナーを後述するブラシロール８６が掻き取ることを補助する。
【００２３】
中間転写体６４の長辺上方には、例えば反射型フォトセンサなどのセンサ７８が開閉カバー１４の裏面（内側）に固定されることによって設けられている。センサ７８は、中間転写体６４上に形成されたトナーのパッチを読取り、中間転写体６４の回転方向における位置を検出するとともに、トナーの濃度検知を行う。
【００２４】
中間転写装置６２の二次転写バックアップロール７２には、搬送路２８を挟んで二次転写ロール８０が対峙している。つまり、二次転写ロール８０と二次転写バックアップロール７２との間が二次転写部における二次転写位置となっており、二次転写ロール８０は、二次転写バックアップロール７２の補助により、中間転写体６４に一次転写されたトナー像を二次転写位置で記録媒体に二次転写する。ここで、二次転写ロール８０は、中間転写体６４が３回転する間、すなわちイエロー、マゼンタ、シアンの３色のトナー像を搬送する間は中間転写体６４から離間しており、黒のトナー像が転写されると中間転写体６４に当接するようにされている。
【００２５】
中間転写体６４の反像担持体側端には、中間転写体用クリーナ８２が当接するように設けられている。中間転写体用クリーナ８２は、例えば二次転写後に中間転写体６４に残留するトナーを掻き取ってクリーニングするスクレーパ８４、スクレーパ８４によるクリーニング後に残ったトナーをさらに掻き取るブラシロール８６、スクレーパ８４及びブラシロール８６によって掻き取られたトナーを回収するトナー回収ボトル８８から構成される。スクレーパ８４は、例えばステンレスの薄板からなり、トナーとは逆極性の電圧がかけられている。また、中間転写体６４がトナー像を搬送する間は、スクレーパ８４及びブラシロール８６は、中間転写体６４から離間しており、所定のタイミングでこれらが一体となって中間転写体６４に当接するようにされている。
【００２６】
二次転写位置の上方には、定着装置９０が配置されている。定着装置９０は、定着装置本体９１を有し、この定着装置本体９１内に加熱ロール９２及び加圧ロール９４が設けられている。加熱ロール９２及び加圧ロール９４は、二次転写ロール８０及び二次転写バックアップロール７２により記録媒体に二次転写されたトナー像を熱と圧力とによって記録媒体に定着させ、排出ロール３４に向けて搬送する。
【００２７】
像形成ユニット９６は、中間転写装置６２、像担持体５０、帯電装置５２、像担持体用クリーナ５４及び中間転写体用クリーナ８２を一体化したものである。この像形成ユニット９６は、開閉カバー１６の排出部３６の直近下方に配置され、画像形成装置本体１２に対して着脱自在となっており、開閉カバー１６を開くことにより着脱される。
【００２８】
また、画像形成装置１０の内部には、画像形成装置１０を構成する各部を制御する制御部９８が設けられている。
【００２９】
上記構成において、画像形成信号が送られると、像担持体５０が帯電装置５２により一様に帯電され、この帯電された像担持体５０には、画像信号に基づいて露光装置６０から光線が出射される。露光装置６０からの光線は、像担持体５０の表面を露光し、潜像が形成される。露光装置６０により形成された像担持体５０の潜像は、ロータリ現像装置３８によってイエロー、マゼンタ、シアン、黒のトナー像を現像され、中間転写体６４に重ねて一次転写される。一次転写において、像担持体５０に残留する廃トナーは、像担持体用クリーナ５４によって掻き取られ、回収される。
【００３０】
一方、記録媒体供給信号等により、記録媒体供給カセット２３に収納された記録媒体は、フィードロール２４により送り出され、リタードロール２６により捌かれて搬送路２８に導かれ、レジストロール３２により一次停止され、タイミングをとって二次転写ロール８０と二次転写バックアップロール７２との間に導かれる。二次転写ロール８０と二次転写バックアップロール７２との間に記録媒体が導かれると、中間転写体６４に一次転写されているトナー像が二次転写ロール８０と二次転写バックアップロール７２とによって記録媒体に二次転写される。二次転写後に、中間転写体６４に残留する廃トナーは、中間転写体用クリーナ８２によって掻き取られ、回収される。
【００３１】
トナー像を転写された記録媒体は定着装置９０に導かれる。定着装置９０は、加熱ロール９２及び加圧ロール９４により、熱と圧力とによってトナー像を記録媒体に定着させ、排出ロール３４を介して、トナー像を定着された記録媒体を排出部３６に排出する。
【００３２】
このような定着装置９０においては、加熱ロール９２に加圧ロール９４を常に圧接させると、加圧ロール９４に永久歪又は劣化が生じることがある。そこで、定着装置９０には、加圧ロール９４と加熱ロール９２との間の加圧力を調整する加圧力調整手段が設けられている。
【００３３】
図２乃至図６において、加圧ロール９４と加熱ロール９２との間の加圧力を調整する機構が示されている。加熱ロール９２の一端の周辺には、例えばモータ１００及びギア１０２，１０４，１０６，１０８，１１０，１１２，１１４が配設されている。モータ１００には、はす歯を有してモータ１００と同軸で回転するモータギア１０１が設けられている。このモータギア１０１は、モータ１００の回転力をギア１０２に伝達する。
【００３４】
ギア１０２は、例えば、はす歯を有する部分と平歯を有する部分とが一体に同軸で回転するようにされており、平歯を有するモータギア１０４にモータギア１０１の回転力を伝達する。ギア１０４は、平歯を有するギア１０６にギア１０２の回転力を伝達するとともに、例えばトルクリミッタ１１６を介してギア１０４と同軸で回転するギア１０８にギア１０２の回転力を伝達する。つまり、ギア１０４、トルクリミッタ１１６及びギア１０８が同軸で回転するようにされており、トルクリミッタ１１６は、ギア１０４のトルクを所定の上限値以下に制限してギア１０８に伝達する。ギア１０６は、加熱ロール９２と同軸で回転するように、加熱ロール９２の一端に固定されており、ギア１０４の回転力によってギア１０６及び加熱ロール９２が回転するようにされている。
【００３５】
ギア１０８は、回転軸１１８を軸として回転するようにされており、トルクリミッタ１１６を介して伝達された回転力をギア１１０に伝達する。ギア１１０は、回転軸１２０を軸として回転するようにされており、ギア１０８から伝達された回転力をギア１１２に伝達する。また、回転軸１１８及び回転軸１２０は、揺動ギアアッセイ１２２を介して連結されている。この揺動ギアアッセイ１２２は、回転軸１１８を軸として揺動するようにされており、反回転軸１１８側に例えばバネなどの弾性部材１２４の一端が掛けられている。弾性部材１２４は、反揺動ギアアッセイ１２２側が定着装置本体９１（図１、図７参照）に固定されている。つまり、弾性部材１２４は、ギア１１０をギア１１２から離す方向に揺動ギアアッセイ１２２を付勢するようにされている。一方、ギア１０８の回転力によりギア１１０に回転力が伝達されると、揺動ギアアッセイ１２２は、弾性部材１２４の付勢に抗してギア１１０をギア１１２に連結させる。このように、ギア１０８の回転力に応じてギア１１０は、ギア１１２に連結されるようになっている。
【００３６】
ギア１１２は、ギア１１０から伝達された回転力をギア１１４に伝達する。ギア１１４は、加熱ロール９２及び加圧ロール９４に対して略平行に延びる回転軸１２６を軸として、ギア１１２の回転力により回転軸１２６と共に回転する。回転軸１２６には、加圧カム１２８が固定されている。加圧カム１２８は、回転軸１２６に対して略垂直方向に延びる加圧部１３０と、この加圧部１３０の先端から加圧ロール９４側に略垂直方向に延びる規制部１３２とを有する。また、加圧カム１２８は、回転軸１２６を軸として揺動することにより、加圧部１３０が例えばバネなどの弾性部材１３４に当接し、この弾性部材１３４を介して後述する可動フレーム１４０を押圧するようにされている。なお、規制部１３２は、加圧カム１２８が揺動することにより、加熱ロール９２を回転自在に支持する固定フレーム１３８に先端部１３６が当接するようにされている。固定フレーム１３８は、上部が例えばネジなどの固定部材（図示せず）によって定着装置本体９１（図１、図７参照）に固定されており、下部が回転支軸１４２を介して可動フレーム１４０に連結されている。可動フレーム１４０は、加圧ロール９４を回転自在に支持し、回転支軸１４２を軸として揺動する。つまり、加圧カム１２８が揺動することにより、加圧部１３０は弾性部材１３４を介して可動フレーム１４０を押圧する。可動フレーム１４０が加圧部１３０の押圧により、回転支軸１４２を軸として所定の位置まで揺動すると、規制部１３２の先端部１３６が固定フレーム１３８に当接し、加圧カム１２８の揺動を規制するようにされている。
【００３７】
次に、加圧ロール９４の加熱ロール９２に対する加圧力をモータ１００の回転に応じて調整する動作について説明する。
図７は、モータ１００の回転力がトルクリミッタ１１６などを介して加圧カム１２８に伝達され、加圧ロール９４が変位した状態を示す模式図である。図７に示すように、モータ１００が回転（図７において反時計回り）すると、モータギア１０１がモータ１００と共に回転し、モータ１００の回転力がギア１０２を介してギア１０４に伝達される。ギア１０４は、ギア１０２から伝達された回転力をギア１０６に伝達すると共に、トルクリミッタ１１６を介してギア１０８に伝達する。即ち、ギア１０６がギア１０４から伝達された回転力によって回転することにより、加熱ロール９２が回転する。
【００３８】
ギア１０８は、ギア１０４からトルクリミッタ１１６を介して伝達された回転力をギア１１０に伝達する。ギア１１０が回転すると、揺動ギアアッセイ１２２は、弾性部材１２４の付勢に抗し、回転軸１１８を軸としてギア１１０がギア１１２に連結するように揺動する。このように、ギア１１０がギア１１２に連結されることにより、ギア１１０の回転力がギア１１２を介してギア１１４に伝達され、ギア１１４は右回り（図７において時計回り）に回転する。ギア１１４が右回りに回転することにより、回転軸１２６を介してギア１１４の回転力が加圧カム１２８に伝達される。加圧カム１２８は、回転軸１２６を軸として揺動することにより、弾性部材１３４を介して可動フレーム１４０を押圧する。可動フレーム１４０が加圧カム１２８によって押圧され、回転支軸１４２を軸として右回り（図７において時計回り）に揺動すると、加圧ロール９４は、可動フレーム１４０によって変位され、加熱ロール９２に対して加圧する。
【００３９】
ただし、可動フレーム１４０が所定の位置まで揺動すると、加圧カム１２８の先端部１３６が固定フレーム１３８の上部に当接し、加圧カム１２８の揺動が規制される。上述したように、加圧カム１２８及びギア１１４などの回転力は、モータ１００の回転力がトルクリミッタ１１６を介して伝達されたものである。つまり、トルクリミッタ１１６がギア１０４とギア１０８との間のトルクの伝達を制限することにより、モータ１００は脱調しないようにされている。
また、先端部１３６が固定フレーム１３８に当接しなくても、加圧ロール９４が加熱ロール９２に対して加圧する加圧力により、トルクリミッタ１１６がギア１０４とギア１０８との間のトルクの伝達を制限するようにしてもよい。
【００４０】
一方、モータ１００が停止すると、ギア１０８が停止し、ギア１１０に回転力が伝達されなくなる。ギア１１０に回転力が伝達されなくなると、揺動ギアアッセイ１２２は、弾性部材１２４の付勢により回転軸１１８を軸として、ギア１１０をギア１１２から離す方向に揺動する。つまり、モータ１００が停止すると、ギア１１０とギア１１２との連結が解除される。ギア１１０とギア１１２との連結が解除されると、加圧カム１２８は、弾性部材１３４によって押圧される。つまり、加圧カム１２８は、図７において左側に向けて揺動し、加圧カム１２８から可動フレーム１４０に対する押圧が解除され、可動フレーム１４０が回転支軸１４２を軸として左回り（図７において半時計回り）に揺動する。よって、加圧ロール９４から加熱ロール９２に対する加圧力が解除される。
なお、加圧ロール９４は、加熱ロール９２に接触した状態で加熱ロール９２に対する加圧力を調整されてもよいし、加熱ロール９２に対して離接するようにされてもよい。
【図面の簡単な説明】
【００４１】
【図１】本発明の実施形態に係る画像形成装置の概要を示す側面図である。
【図２】加圧ロールと加熱ロールとの間の加圧力を調整する機構を示す図であって、加圧カム側から見た斜視図である。
【図３】加圧ロールと加熱ロールとの間の加圧力を調整する機構を示す図であって、揺動ギアアッセイを取り除いた状態を示す斜視図である。
【図４】加圧ロールと加熱ロールとの間の加圧力を調整する機構を示す図であって、揺動ギアアッセイ側から見た斜視図である。
【図５】加圧ロールと加熱ロールとの間の加圧力を調整する機構を示す図であって、加熱ロール側から見た斜視図である。
【図６】モータギアから加圧カムまでの回転力の伝達を示す模式図である。
【図７】モータの回転力がトルクリミッタなどを介して加圧カムに伝達され、加圧ロールが変位した状態を示す模式図である。
【符号の説明】
【００４２】
１０    画像形成装置
３８    ロータリ現像装置
５０    像担持体
５２    帯電装置
６０    露光装置
６２    中間転写装置
６４    中間転写体
８０    二次転写ロール
９０    定着装置
９１    定着装置本体
９２    加熱ロール
９４    加圧ロール
９６    像形成ユニット
９８    制御部
１００    モータ
１０１    モータギア
１０２，１０４，１０６，１０８，１１０，１１２，１１４    ギア
１１６    トルクリミッタ
１１８，１２０，１２６    回転軸
１２２    揺動ギアアッセイ
１２４，１３４    弾性部材
１２８    加圧カム
１３０    加圧部
１３２    規制部
１３６    先端部
１３８    固定フレーム
１４０    可動フレーム
１４２    回転支軸
【図１】
2005316061.tif 000003
【図２】
2005316061.tif 000004
【図３】
2005316061.tif 000005
【図４】
2005316061.tif 000006
【図５】
2005316061.tif 000007
【図６】
2005316061.tif 000008
【図７】
2005316061.tif 000009